(57)【要約】  【課題】  本発明は，付け爪をつけている者や高齢者であっても，容易に携帯電話のゴム製カバーを空けることができる手動利器を提供することを目的とする。  【解決手段】  本発明は，基本的には，携帯電話のゴム製カバーの凹部にフィットする形状の突起部を有するカバーオープナーにより，付け爪をしている者や高齢者であっても容易にカバーを明けることができるという知見に基づくものである。具体的には，胴体部（１）と，前記胴体部（１）の先端に設けられた先細部（２）と，前記先細部（２）の先端に設けられた突起部（３）とを有し，前記突起部は，幅が１ｍｍ以上２ｃｍ以下であり，厚さが０．２ｍｍ以上２ｍｍ以下であり，携帯電話が備えるゴム製カバーを開けるために用いられるカバーオープナーに関する。  【選択図】  図１
2009279028.tif 000002
【特許請求の範囲】
【請求項１】
胴体部（１）と，
前記胴体部（１）の先端に設けられた先細部（２）と，
前記先細部（２）の先端に設けられた突起部（３）と，
を有し，
前記突起部は，幅が１ｍｍ以上２ｃｍ以下であり，厚さが０．２ｍｍ以上２ｍｍ以下であり，
携帯電話が備えるゴム製カバーを開けるために用いられるカバーオープナー。  
【請求項２】
前記胴体部（１）は，
前記先端部（２）と一体となる芯部（２１）であって，扁平な形状を有するものと，
前記芯部（２１）の少なくとも１面に設けられた接着部（２２）と，
前記芯部（２１）及び前記接着部（２２）を覆うように設けられ，取り外し可能なカバー部（２３）と，
を含む，
請求項１に記載のカバーオープナー。  
【請求項３】
前記カバー部（２３）は，
前記先端部（２）側と反対の側に設けられたフック部（３１）を有するカバー部である，
請求項２に記載のカバーオープナー。
【請求項４】
前記カバー部（２３）は，
さらに，ストラップを通すためのループ（３２）を有する，
請求項２又は請求項３に記載のカバーオープナー。
【発明の詳細な説明】
【技術分野】
【０００１】
本発明は，携帯電話の電源カバーや端子カバーなど，携帯電話に設けられるゴム製のカバーを開けるためのカバーオープナーに関する。
【背景技術】
【０００２】
近年，ネイルアートや付け爪を行う者が増えている。爪への装飾は永久的なものではないので，装飾がこすれると，その装飾が剥がれるという事態が生じうる。具体的には，携帯電話のゴム製のカバー部分を爪で空ける際に，ゴムに装飾が引っかかり装飾が破損する事態が生じうる。そこで，爪が何かと接触する事態を避けるためのツールが望まれる。また，付け爪をして作業をする場合，長い付け爪が作業の邪魔をする。このため，携帯電話のゴム製のカバー部分を付け爪で空けることは，難しい。そこで，付け爪をした状態でも作業を行えるようなツールが望まれる。また，高齢者など器用に手先を動かすことができない者もいる。このような高齢者にとって，携帯電話のゴム製のカバー部分をあけることは容易ではない。そこで，高齢者であっても，携帯電話のゴム製カバーを容易にあけられるようなツールの開発が望まれる。
【０００３】
一方，特開２００１−３０１８９２号公報（特許文献１）には，携帯電話のボタンを押しやすくする「らくらくキータッチ」が開示されている。このらくらくキータッチは，携帯電話のストラップに接続できるものである。これにより，ユーザは容易にキー操作を行うことができるとされている。また，「らくらくキータッチ」の一部が薄くなっている。これにより，ユーザは，この薄くなっている部分を用いて，プルトップのタブをおこすことができる。
【特許文献１】特開２００１−３０１８９２号公報
【発明の開示】
【発明が解決しようとする課題】
【０００４】
本発明は，付け爪をつけている者や高齢者であっても，容易に携帯電話のゴム製カバーを空けることができる手動利器を提供することを目的とする。
【課題を解決するための手段】
【０００５】
本発明は，基本的には，携帯電話のゴム製カバーの凹部にフィットする形状の突起部を有するカバーオープナーにより，付け爪をしている者や高齢者であっても容易にカバーを明けることができるという知見に基づくものである。
【０００６】
本発明の第１の側面は，胴体部（１）と，先細部（２）と，突起部（３）とを有する，カバーオープナー（４）に関する。このカバーオープナーは，携帯電話のゴム製カバーを開けるために用いられる。携帯電話のゴム製カバーとして，電源部分のカバーや，イヤホン接続端子部分のカバー，記録媒体を収容する部位のカバーがあげられる。
【０００７】
胴体部（１）は，ユーザが，手で握る部位か，又は手で把持する部位である。胴体部の大きさは，本発明のカバーオープナーを人が利用できる程度の大きさや形状であればよい。具体的な胴体部の形状として，扁平なものがあげられる。先細部（２）は，胴体部（１）と突起部（３）を接続する部位である。すなわち，先細部（２）は，胴体部（１）の先端に設けられ，突起部（３）と接続される。
【０００８】
突起部（３）は，携帯電話のゴム製カバーの凹部に挿入される部位である。突起部（３）は，先細部（２）の先端に設けられる。突起部の具体的な大きさは，幅が１ｍｍ以上２ｃｍ以下であり，厚さが０．２ｍｍ以上２ｍｍ以下である。
【０００９】
本発明の第１の側面の好ましい態様は，胴体部（１）が，芯部（２１）と，接着部（２２）と，カバー部（２３）を有する。芯部（２１）は，先端部（２）と一体となる。芯部は，扁平な形状を有する。そして，芯部（２１）の少なくとも１面には接着部（２２）が設けられる。これにより，床に落ちた小銭やカードを容易に拾い上げることができる。
【００１０】
本発明の第１の側面の好ましい態様は，カバー部（２３）が先端部（２）側と反対の側に設けられたフック部（３１）を有するものに関する。このようなフック部（３１）を有するので，本発明のカバーオープナーは，付け爪をしている者でも容易にプルトップを空けることができる。
【００１１】
本発明の第１の側面の好ましい態様は，カバー部（２３）は，ストラップを通すためのループ（３２）を有するものである。ストラップを通すためのループを有するので，本発明のカバーオープナーは，携帯電話のストラップの一種として利用することができる。
【発明の効果】
【００１２】
本発明によれば，付け爪をつけている者や高齢者であっても，容易に携帯電話のゴム製カバーを空けることができる手動利器を提供できる。
【発明を実施するための最良の形態】
【００１３】
以下，図面を用いて本発明を説明する。図１は，本発明のカバーオープナーの例を示す図である。図１Ａは，カバーオープナーの断面図を示す。図１Ｂはカバーオープナーの正面図を示す。図１Ｃは，カバーオープナーの側面図を示す。図１Ｂに示されるように，本発明のカバーオープナーは，胴体部（１）と，先細部（２）と，突起部（３）とを有する。このカバーオープナーは，携帯電話のゴム製カバーを開けるために用いられる。携帯電話のゴム製カバーとして，電源部分のカバーや，イヤホン接続端子部分のカバー，記録媒体を収容する部位のカバーがあげられる。
【００１４】
胴体部（１）は，ユーザが，手で握る部位か又は手で把持する部位である。胴体部の大きさは，本発明のカバーオープナーを人が利用できる程度の大きさや形状であればよい。具体的な胴体部の形状として，扁平なものがあげられる。
【００１５】
本発明の第１の側面の好ましい態様は，胴体部（１）が，芯部（２１）と，接着部（２２）と，カバー部（２３）を有するものである。図２は，カバー部を取り外したカバーオープナーを示す図である。図２Ａは，カバー部を取り外したカバーオープナーの断面図を示す。図２Ｂはカバー部を取り外したカバーオープナーの正面図を示す。図２Ｃは，カバー部を取り外したカバーオープナーの側面図を示す。図２Ｄは，図２ＢのＡ−Ａ断面図である。図２Ｅは，図２Ｃのア部を拡大した図である。図２Ｆは，図２Ｃのイ部を拡大した図である。図２Ｂに示されるように，芯部（２１）は，先端部（２）と一体となる。そして芯部は，たとえば，扁平な形状を有する。芯部（２１）の大きさは，胴体部の大きさより小さい。そして，芯部（２１）の少なくとも１面には接着部（２２）が設けられる。接着部（２２）は，芯部の表面に貼られた粘着テープがあげられる。粘着テープは公知である。粘着テープの例は，株式会社エクシールコーポレーション社製の異粘着クリアタックなどがあげられる。これにより，床に落ちた小銭やカードを容易に拾い上げることができる。また，図２Ｆに示されるように，芯部には，カバー部を固定するための突起が設けられるものが好ましい。
【００１６】
図３は，カバー部の例を示す図である。図３Ａは，カバー部の正面図を示す。図３Ｂは，カバー部の断面図を示す。図３Ｃは，カバー部の側面図を示す。図３Ｄは，図３Ｃのア部を拡大した図を示す。図３Ｅは，図３ＡのＡ−Ａ断面図である。図３Ａに示されるように，カバー部は筒状となっている。この筒状の内部に，芯部及び接続部を収容できる。すなわち，カバー部は，芯部（２１）及び接着部（２２）を覆うことができる。一方，カバー部は，取り外すこともできる。
【００１７】
本発明の第１の側面の好ましい態様は，カバー部（２３）が先端部（２）側と反対の側に設けられたフック部（３１）を有するものに関する。このようなフック部（３１）を有するので，本発明のカバーオープナーは，付け爪をしている者でも容易にプルトップを空けることができる。図３Ａに示される例では，フック部は，カバー部（２３）の端部のうち，先端部（２）と反対側の端部に設けられている。フック部の形状は，図３Ｄに開示されるように釣針状のものがあげられる。
【００１８】
本発明の第１の側面の好ましい態様は，カバー部（２３）は，ストラップを通すためのループ（３２）を有するものである。ストラップを通すためのループを有するので，本発明のカバーオープナーは，携帯電話のストラップの一種として利用することができる。図３Ａに示される例では，ループがカバーオープナーの側面に位置している。しかしながら，ループの位置は，図３Ａでフック部が存在する位置に設けられても良い。
【００１９】
先細部（２）は，胴体部（１）と突起部（３）を接続する部位である。すなわち，先細部（２）は，胴体部（１）の先端に設けられ，突起部（３）と接続される。胴体部に比べ突起部は幅が小さい。このため，胴体部側の先細部の幅は，突起部側の先端部の幅より大きい。なお，先細部は先端に近づくほど先が狭くなるもののほか，図１などに示されるように幅が変化しない領域と，幅が狭くなっていく領域とを有するものであっても良い。
【００２０】
突起部（３）は，携帯電話のゴム製カバーの凹部に挿入される部位である。突起部（３）は，先細部（２）の先端に設けられる。突起部の具体的な大きさは，幅が１ｍｍ以上２ｃｍ以下であり，厚さが０．２ｍｍ以上２ｍｍ以下である。
【産業上の利用可能性】
【００２１】
本発明は携帯電話のゴム製カバーを外すものであるから，手動のツールを製造する分野において利用することができる。  
【図面の簡単な説明】
【００２２】
【図１】図１は，本発明のカバーオープナーの例を示す図である。図１Ａは，カバーオープナーの断面図を示す。図１Ｂはカバーオープナーの正面図を示す。図１Ｃは，カバーオープナーの側面図を示す。
【図２】図２は，カバー部を取り外したカバーオープナーを示す図である。図２Ａは，カバー部を取り外したカバーオープナーの断面図を示す。図２Ｂはカバー部を取り外したカバーオープナーの正面図を示す。図２Ｃは，カバー部を取り外したカバーオープナーの側面図を示す。図２Ｄは，図２ＢのＡ−Ａ断面図である。図２Ｅは，図２Ｃのア部を拡大した図である。図２Ｆは，図２Ｃのイ部を拡大した図である。
【図３】図３は，カバー部の例を示す図である。図３Ａは，カバー部の正面図を示す。図３Ｂは，カバー部の断面図を示す。図３Ｃは，カバー部の側面図を示す。図３Ｄは，図３Ｃのア部を拡大した図を示す。図３Ｅは，図３ＡのＡ−Ａ断面図である。
【符号の説明】
【００２３】
１  胴体部
２  先細部
３  突起部
４  カバーオープナー
２１  芯部
２２  接着部
２３  カバー部
３１  フック部
３２  ループ
【図１】
2009279028.tif 000003
【図２】
2009279028.tif 000004
【図３】
2009279028.tif 000005